【手続補正書】
【提出日】平成16年2月17日(2004.2.17)
【手続補正１】
【補正対象書類名】特許請求の範囲
【補正対象項目名】全文
【補正方法】変更
【補正の内容】
【特許請求の範囲】
【請求項１】
人間の眼の中に受け入れられる大きさ及び形状の光学体であって、前部光学中心を持つ前壁、後部光学中心を持つ後壁、及び前壁と後壁の間の房室を含み、光学体は前部光学中心で前壁と交差し後部光学中心で後壁と交差する光軸を有する光学体、
第一密度及び第一反射率を持つ光学的に透過性のある第一流体であって、遠くを見るため光軸を水平方向に合わせることが光軸を第一流体を通過させるように位置させ且つ前部光学中心及び後部光学中心を第一流体に浸漬するような十分な量だけ光学体の房室に含まれる第一流体、並びに
第一密度及び第二屈折率とは異なる第二密度及び第二屈折率を持ち、第一流体とは実質的に混合不可である光学的に透過性のある第二流体であって、近くを見るため光軸を水平方向に対し下向きの有効角の範囲に合わせることが光軸を第一流体及び第二流体を通過し伸長するように位置するような十分な量だけ光学体の房室に含まれる第二流体、を含む人間の眼のための眼内レンズ。
【請求項２】
前記第一流体及び第二流体はそれぞれ第一液体及び第二液体から成る請求項１の眼内レンズ。
【請求項３】
前記第一液体と第二液体の間に接触界面が挿入され、近くを見る場合に、水平方向に対して下向きの有効角の範囲内で光軸が接触界面を通過する請求項１又は２の眼内レンズ。
【請求項４】
前記房室は前壁と後壁の間に囲まれる請求項１乃至３のいずれか１項の眼内レンズ。
【請求項５】
前記房室は前壁と後壁で構成される構造物により囲まれる請求項１乃至３のいずれか１項の眼内レンズ。
【請求項６】
前記第一密度は第二密度よりも高く、光軸を下向きの有効角の範囲に合わせることが第一流体を前壁の方へ移動させ且つ光軸を前部光学中心で第一流体を通過し後部光学中心で第二流体を通過するように位置させる請求項１乃至５のいずれか１項の眼内レンズ。
【請求項７】
前記第二密度は第一密度よりも高く、光軸を下向きの有効角の範囲に合わせることが第二流体を前壁の方へ移動させ且つ光軸を前部光学中心で第二流体を通過し後部光学中心で第一流体を通過するように伸長させる請求項１乃至５のいずれか１項の眼内レンズ。
【請求項８】
前記第二流体は、十分な量だけ光学体の房室に含まれ、近くを見るため光軸を水平方向に対し下向きの７０乃至９０°の範囲に合わせることが光軸を第一流体及び第二流体を通過し伸長するように位置する請求項１乃至７のいずれか１項の眼内レンズ。
【請求項９】
前記下向きの有効角の範囲は水平方向から９０°である請求項１乃至７のいずれか１項の眼内レンズ。
【請求項１０】
前記光学体の光軸が水平方向に対して上向きになった時、第二流体が前部及び後部の光学中心に流れ込まないようにするため、房室は堤防（導流堤）を含む請求項１乃至９のいずれか１項の眼内レンズ。
【請求項１１】
前記光学体の光軸が水平方向に対して上向き及び垂直になった時、第二流体が前部及び後部の光学中心に全く流れ込まないようにするため、堤防（導流堤）は十分な寸法を有する請求項１０の眼内レンズ。
【請求項１２】
前記堤防（導流堤）は前壁と後壁から成るグループから選ばれた部材の中に形成されるチャンネルを含む請求項１１の眼内レンズ。
【請求項１３】
前記チャンネルは弓形（アーチ形）である請求項１２の眼内レンズ。
【請求項１４】
前記チャンネルは環状（輪状）である請求項１２の眼内レンズ。
【請求項１５】
堤防（導流堤）は前壁と後壁から成るグループから選ばれた部材の中に形成される突出物を含む請求項１０の眼内レンズ。
【請求項１６】
前記突出物は弓形（アーチ形）である請求項１５の眼内レンズ。
【請求項１７】
前記突出物は環状（輪状）である請求項１５の眼内レンズ。
【請求項１８】
請求項１乃至１７のいずれか１項の眼内レンズであって、
前記人間の眼は、角膜、角膜の後部にあり瞳孔を有する虹彩、及び虹彩の後部にある網膜を含み、角膜を通して人間の眼に入り瞳孔を通過して網膜に到る光路に沿って入射光を通過させ、
前記光軸は人間の眼の中に置かれる光学体を通して位置され、前部表面領域を有する光学的に透過性のある前部可視ゾーンで前壁と、後部表面領域を有する光学的に透過性のある後部可視ゾーンで後壁と光路を交差させ、
前記第一流体は、光学的に透過性のある下部液体を含み、該下部液体は、遠くを見るため光軸を水平方向に配置することが光軸をして下部液体を通過させ且つ前部可視ゾーンの前部表面領域の大半及び後部可視ゾーンの後部表面領域の大半が下部液体に浸るように、十分な量が光学体の房室に含まれ、
前記第二流体は、下部液体とは実質的に混合不可で光学的に透過性のある上部液体を含み、該上部液体は、近くを見るため光軸を水平方向に対して下向きの有効角の範囲に合わせることが、下部液体を前壁の方に移動させ、光軸をして前部光学中心で下部液体を通過し後部光学中心で上部流体を通過して伸長させるように位置させ、前部可視ゾーンの前部表面領域の大半が下部液体に浸り、後部可視ゾーンの後部表面領域の大半が上部流体に浸るように、十分な量が光学体の房室内の下部液体の上部に含まれる眼内レンズ。
【請求項１９】
前記上部流体は上部液体で構成されるが、上部液体の第２屈折率は下部液体の第一屈折率よりも大きい請求項１８の眼内レンズ。
【請求項２０】
前記上部流体は上部液体から成り、上部液体の第２屈折率は下部液体の第一屈折率よりも小さい請求項１８の眼内レンズ。
【請求項２１】
前記光軸を水平方向に合わせることが、前部可視ゾーンの前部表面領域の少なくとも７０％及び後部可視ゾーンの後部表面領域の少なくとも７０％が下部液体に浸るように光軸をして下方液体に十分通すように位置させる請求項１８乃至２０のいずれか１項の眼内レンズ。
【請求項２２】
前記光軸を水平方向に合わせることが、前部可視ゾーンの前部表面領域の全体及び後部可視ゾーンの後部表面領域の全体が下部液体に浸るように光軸をして下方液体に十分通すように位置させる請求項１８乃至２０のいずれか１項の眼内レンズ。
【請求項２３】
請求項１乃至１７のいずれか１項の眼内レンズであって、
前記人間の眼は、角膜、角膜の後部にあり瞳孔を有する虹彩、及び虹彩の後部にある網膜を含み、角膜を通して人間の眼に入り瞳孔を通過して網膜に到る光路に沿って入射光を通過させ、
前記光軸は、人間の眼の中に置かれる光学体を通して位置され、前部表面を有する光学的に透過性のある前部可視ゾーンで前記光路を前壁と交差させ、後部表面を有する光学的に透過性のある後部可視ゾーンで前記光路を後壁と交差させ、
前記第一流体は、光学的に透過性のある上部流体を含み、該上部流体は、遠くを見るため光軸を水平方向に配置することが光軸をして上部液体を通過させ且つ前部可視ゾーンの前部表面領域の大半及び後部可視ゾーンの後部表面領域の大半が上部液体に浸るように、十分な量が光学体の房室に含まれ、
前記第二流体は、上部液体とは実質的に混合不可で光学的に透過性のある下部液体を含み、該下部液体は、近くを見るため光軸を水平方向に対して下向きの有効角の範囲に合わせることが、下部液体を前壁の方に移動させ、光軸をして前部光学中心で下部液体を通過し後部光学中心で上部流体を通過して伸長させるように位置させ、前部可視ゾーンの前部表面領域の大半が下部液体に浸り、後部可視ゾーンの後部表面領域の大半が上部流体に浸るように、十分な量が光学体の房室内の下部液体の上部に含まれる眼内レンズ。
【請求項２４】
前記上部流体は少なくとも１つの上部液体を含み、上部液体の第一屈折率は下部液体の第二屈折率よりも小さい請求項２３の眼内レンズ。
【請求項２５】
前記上部流体は少なくとも１つの上部液体を含み、上部液体の第一屈折率は下部液体の第二屈折率よりも大きい請求項２３の眼内レンズ。
【請求項２６】
前記光軸を水平方向に合わせることが、前部可視ゾーンの前部表面領域の少なくとも７０％及び後部可視ゾーンの後部表面領域の少なくとも７０％が上部液体に浸るように光軸をして上方液体に十分通すように位置させる請求項２３乃至２５のいずれか１項の眼内レンズ。
【請求項２７】
前記光軸を水平方向に合わせることが、前部可視ゾーンの前部表面領域の全体及び後部可視ゾーンの後部表面領域の全体が上部液体に浸るように光軸をして上方液体に十分通すように位置させる請求項２３乃至２５のいずれか１項の眼内レンズ。
【請求項２８】
前記第二流体は、近くを見る間、光軸を水平方向に対して少なくとも７０°乃至９０°の範囲に合わせることにより光軸を第一流体及び第二流体を通し伸長させるように、十分な量が光学体の房室に含まれる請求項１乃至２７のいずれか１項の眼内レンズ。
【請求項２９】
前記第二流体は、近くを見る間、光軸を水平方向に対して少なくとも４５°乃至９０°の範囲に合わせることにより光軸を第一流体及び第二流体を通し伸長させるように、十分な量が光学体の房室に含まれる請求項１乃至２７のいずれか１項の眼内レンズ。
【請求項３０】
前記第二流体は、近くを見る間、光軸を水平方向に対して少なくとも３０°乃至９０°の範囲に合わせることにより光軸を第一流体及び第二流体を通し伸長させるように、十分な量が光学体の房室に含まれる請求項１乃至２７のいずれか１項の眼内レンズ。
【請求項３１】
請求項１８乃至２７のいずれか１項の眼内レンズであって、上部流体と下部液体は、光学体の房室に、近くを見る間、水平方向に対して少なくとも７０°乃至９０°の範囲に合わせることが前部可視ゾーンの前部表面領域の少なくとも７０％を下部液体に浸し後部可視ゾーンの後部表面領域の少なくとも７０％を上部流体に浸すような量だけ含まれる眼内レンズ。
【請求項３２】
請求項１８乃至２７のいずれか１項の眼内レンズであって、上部流体と下部液体は、光学体の房室に、近くを見る間、水平方向に対して少なくとも７０°乃至９０°の範囲に合わせることが前部可視ゾーンの前部表面領域の全部を下部液体に浸し後部可視ゾーンの後部表面領域の全部を上部流体に浸すような量だけ含まれる眼内レンズ。
【請求項３３】
前記光学体は弾力性に富み変形可能である請求項１乃至３２のいずれか１項の眼内レンズ。
【請求項３４】
更に触覚を含む請求項１乃至３３のいずれか１項の眼内レンズ。
【請求項３５】
前記光学体は前部光学中心と一致する前部頂点及び後部光学中心と一致する後部頂点を有する請求項１乃至３４のいずれか１項の眼内レンズ。
【請求項３６】
角膜、強膜、強膜を覆う結膜、角膜の後部にあり瞳孔を有する虹彩、瞳孔の背後にある嚢、及び虹彩の後部にある網膜を含み、角膜を通して人間の眼に入り瞳孔及び嚢を通過して網膜に到る光路に沿って入射光を通過させる人間の眼に、請求項１乃至３５のいずれか１項の眼内レンズを移植する方法であって、
角膜、強膜及び結膜のいずれか少なくとも１つに切り目を入れる工程、並びに
眼内レンズを嚢内に挿入し固定する工程、を含む方法。
【請求項３７】
角膜、強膜、強膜を覆う結膜、角膜の後部にあり瞳孔を有する虹彩、生理学的レンズがある場所と角膜の間の前眼房、及び虹彩の後部にある網膜を含み、角膜前部を通して人間の眼に入り瞳孔を通過して網膜に到る光路に沿って入射光を通過させる人間の眼に、請求項１乃至３５のいずれか１項の眼内レンズを移植する方法において、
角膜、強膜及び結膜のいずれか少なくとも１つに切り目を入れる工程、並びに
眼内レンズを前眼房に挿入し固定する工程、を含む方法。
【請求項３８】
前記眼内レンズを嚢内に挿入する前に嚢から使い捨てレンズを除去する工程を含む請求項３６又は３７の方法。
【請求項３９】
前記使い捨てレンズは生理学的レンズを含む請求項３６乃至３８のいずれか１項の方法。
【請求項４０】
人間の眼又は使用者に移植された眼内レンズを介し焦点を変更する方法であって、
眼内レンズは人間の眼の中に置かれる光学体を含み、光学体は、前壁、後壁、前壁と後壁の間の房室、房室に含まれる光学的に透過性のある第一液体及び第二液体を含み、第一液体は第二液体とは異なる密度及び屈折率を有し、前記方法は、
遠方を見るため真っ直ぐ前方を見るように人間の眼を方位決めし、視軸を第一液体に通すが第二液体を通過させず、遠くの１点に焦点を合わせる工程、及び
人間の眼を下方を見るように運動させ、遠隔点よりも人間の眼に近い近点に焦点を合わせるために第一液体及び第二液体に視軸を通す工程、を含む方法。
【請求項４１】
前記第一液体は第二液体よりも高い密度を持つ請求項４０の方法。
【請求項４２】
前記第二液体は第一液体よりも高い密度を持つ請求項４０の方法。
【請求項４３】
請求項１乃至３５のいずれか１項の眼内レンズを製作する方法において、
光学的に透過性のある第一流体を光学体の房室に導入する工程、及び
光学的に透過性のある第二流体を光学体の房室に導入する工程、を含む方法。
【請求項４４】
更に注入口を有する光学体を設ける工程、及び第一流体及び第二流体を導入した後注入口を閉じ房室を閉じ込める工程を含む請求項４３の方法。
【請求項４５】
請求項４４の方法であって、光学体の房室は光学的に透過性のある第一流体及び第二流体を導入する前に房室に含まれるガスを有し、前記方法は、更に、
房室と通じる通気孔を光学体に設ける工程、
光学的に透過性のある第一流体及び第二流体を導入する時に通気孔からガスを排除する工程、並びに
光学的に透過性のある第一流体及び第二流体を導入した後その通気孔を密封する工程、を含む方法。
【請求項４６】
人工的に焦点を合わせる要素を人間の眼に入れた後の人間の眼の残存性屈折異常を治療する方法であって、
人工的に焦点を合わせる要素を人間の眼に挿入する工程、
人工的に焦点を合わせる要素の移植から少なくとも部分的に治癒するまで人間の眼を休ませる工程、及び
治癒期間中に生じる残存性屈折異常を補正するため、人間の眼の構造を遠隔視力用に変更する工程、を含む方法。
【請求項４７】
前記人工的に焦点を合わせる要素は請求項１乃至３５のいずれか１項の眼内レンズを含む請求項４６の方法。
【請求項４８】
請求項４６の方法であって、人工的に焦点を合わせる要素は、強膜移植片及び角膜移植片で構成されるグループから選択された要素を含む方法。
【請求項４９】
請求項４６乃至４８のいずれか１項の方法であって、人間の眼は角膜を含み、前記変更する工程は光又はレーザ屈折手術を人間の眼の隔膜に施すことによって達成される方法。
【請求項５０】
請求項４６乃至４８のいずれか１項の方法であって、前記変更する工程は、ＰＲＫ（光屈折角膜切除）、ＬＡＳＩＫ（レーザ間質内角膜切除）、及びＬＡＳＥＫ（レーザ上皮組織角膜切除）から成るグループから選択される１つの方法を含む方法。